(57)【要約】【課題】制御チャネルに用いる無線リソース量を通知すること。【解決手段】下りリンクにOFDM方式が適用される移動通信システムで使用される基地局装置は、データチャネルを生成するデータチャネル生成部と、該データチャネルの割当情報が少なくとも含まれた制御チャネルを生成する制御チャネル生成部と、該制御チャネルに使用されるＯＦＤＭシンボル数を示す情報が含まれたパート０情報を生成するパート０情報生成部と、該パート０情報、制御チャネル、データチャネルをマッピングするマッピング部とを備える。マッピング部は、複数のＯＦＤＭシンボルによって形成されたサブフレームの先頭から所定数個のＯＦＤＭシンボルに、制御チャネルをマッピングするとともに、サブフレームの先頭のＯＦＤＭシンボルのうち、セル毎に周波数領域で互いに重ならないようなサブキャリアに、パート０情報をマッピングする。【選択図】図５
2011004412.tif 000002
【特許請求の範囲】
【請求項１】
下りリンクにOFDM方式が適用される移動通信システムで使用される基地局装置であって、
データチャネルを生成するデータチャネル生成部と、
前記データチャネル生成部において生成したデータチャネルの割当情報が少なくとも含まれた制御チャネルを生成する制御チャネル生成部と、
前記制御チャネル生成部において生成した制御チャネルに使用されるＯＦＤＭシンボル数を示す情報が含まれたパート０情報を生成するパート０情報生成部と、
前記パート０情報生成部において生成したパート０情報、前記制御チャネル生成部において生成した制御チャネル、前記データチャネル生成部において生成したデータチャネルをマッピングするマッピング部とを備え、
前記マッピング部は、複数のＯＦＤＭシンボルによって形成されたサブフレームの先頭から所定数個のＯＦＤＭシンボルに、制御チャネルをマッピングするとともに、サブフレームの先頭のＯＦＤＭシンボルのうち、セル毎に周波数領域で互いに重ならないようなサブキャリアに、パート０情報をマッピングすることを特徴とする基地局装置。
【請求項２】
空間周波数ブロック符号化により、２アンテナ送信が行われ、
前記パート０情報生成部において生成したパート０情報は、連続する２サブキャリアにマッピングされることを特徴とする請求項１に記載の基地局装置。
【請求項３】
前記パート０情報生成部において生成したパート０情報の変調方式は一定に維持され、パート０情報の送信電力は可変に制御されることを特徴とする請求項１または２に記載の基地局装置。
【請求項４】
前記マッピング部は、リファレンスシグナルがマッピングされるサブキャリア以外のサブキャリアにパート０情報をマッピングすることを特徴とする請求項１から３のいずれかに記載の基地局装置。
【請求項５】
前記マッピング部は、サブフレームの先頭から３ＯＦＤＭシンボル以内に各ユーザ装置の制御チャネルをマッピングし、各OFDMシンボルにおいて、各ユーザ装置の制御情報をシフトさせてマッピングすることを特徴とする請求項１から３のいずれかに記載の基地局装置。
【請求項６】
前記シフト量は、セル毎に異なることを特徴とする請求項５に記載の基地局装置。
【請求項７】
前記マッピング部は、サブフレームの先頭から３ＯＦＤＭシンボル以内に各ユーザ装置の制御チャネルをマッピングし、各OFDMシンボルにおいて、周辺セルで使用されていないサブキャリアに各ユーザ装置の制御情報をマッピングすることを特徴とする請求項１から３のいずれかに記載の基地局装置。
【請求項８】
下りリンクにOFDM方式が適用される移動通信システムで使用される基地局装置における送信方法であって、
データチャネルを生成するステップと、
生成したデータチャネルの割当情報が少なくとも含まれた制御チャネルを生成するステップと、
生成した制御チャネルに使用されるＯＦＤＭシンボル数を示す情報が含まれたパート０情報を生成するステップと、
生成したパート０情報、生成した制御チャネル、生成したデータチャネルをマッピングするステップとを備え、
前記マッピングするステップは、複数のＯＦＤＭシンボルによって形成されたサブフレームの先頭から所定数個のＯＦＤＭシンボルに、制御チャネルをマッピングするとともに、サブフレームの先頭のＯＦＤＭシンボルのうち、セル毎に周波数領域で互いに重ならないようなサブキャリアに、パート０情報をマッピングすることを特徴とする送信方法。
【発明の詳細な説明】
【技術分野】
【０００１】
本発明は、無線通信システムに関し、特に基地局装置及び通信制御方法に関する。
【背景技術】
【０００２】
Ｗ−ＣＤＭＡやＨＳＤＰＡ、ＨＳＵＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはOFDM、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
OFDMは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
ＬＴＥは、上りリンク、下りリンクともに１つないし２つ以上の物理チャネルを複数のユーザ装置で共有して通信を行うシステムである。上記複数のユーザ装置で共有されるチャネルは、一般に共有チャネルと呼ばれ、ＬＴＥにおいては、上りリンクにおいては上り共有物理チャネル（Ｐｈｙｓｉｃａｌ  Ｕｐｌｉｎｋ  Ｓｈａｒｅｄ  Ｃｈａｎｎｅｌ  ：ＰＵＳＣＨ）であり、下りリンクにおいては下り共有物理チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）である。
【０００６】
そして、上述したような共有チャネルを用いた通信システムにおいては、サブフレーム（Ｓｕｂ−ｆｒａｍｅ）（ＬＴＥでは１ｍｓ）毎に、どのユーザ装置に対して上記共有チャネルを割り当てるかをシグナリングする必要があり、上記シグナリングのために用いられる制御チャネルは、ＬＴＥでは、物理下りリンク制御チャネル（Ｐｈｙｓｉｃａｌ  Ｄｏｎｗｌｉｎｋ  Ｃｏｎｔｒｏｌ  Ｃｈａｎｎｅｌ）または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。上記物理下りリンク制御チャネルの情報には、例えば、ダウンリンクスケジューリングインフォメーション（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が含まれる（例えば、非特許文献２参照）。
【０００７】
上記ＤＬ  Ｓｃｈｅｄｕｌｉｎｇ  ＩｎｆｏｒｍａｔｉｏｎやＵＬ  Ｓｃｈｅｄｕｌｉｎｇ  Ｇｒａｎｔが、どのユーザ装置に対して上記共有チャネルを割り当てるかをシグナリングするための情報に相当する。上記ＤＬ  Ｓｃｈｅｄｕｌｉｎｇ  Ｉｎｆｏｒｍａｔｉｏｎには、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。また、上記ＵＬ  Ｓｃｈｅｄｕｌｉｎｇ  Ｇｒａｎｔには、例えば、上りリンクの共有チャネルに関する、上りリンクのＲｅｓｏｕｒｃｅ  Ｂｌｏｃｋの割り当て情報、ＵＥのＩＤ、データサイズ、変調方式、上りリンクの送信電力情報、Ｕｐｌｉｎｋ  ＭＩＭＯにおけるデモジュレーションレファレンスシグナル（Ｄｅｍｏｄｕｌａｔｉｏｎ  Ｒｅｆｅｒｅｎｃｅ  Ｓｉｇｎａｌ）の情報等が含まれる。
【０００８】
以下では、上りリンクにおける共有チャネルを用いた通信を説明する。
【０００９】
上述したように、上りリンクにおいては、基地局装置は、サブフレーム毎（１ｍｓ毎）に、上記共有チャネルを用いて通信を行うユーザ装置を選別し、選別したユーザ装置に対して、上記Ｕｐｌｉｎｋ  Ｓｃｈｅｄｕｌｉｎｇ  Ｇｒａｎｔを用いて、所定のサブフレームにおいて、上記共有チャネルを用いて通信を行うことを指示し、ユーザ装置は、上記Ｕｐｌｉｎｋ  Ｓｃｈｅｄｕｌｉｎｇ  Ｇｒａｎｔに基づいて、上記共有チャネルを送信する。基地局装置は、ユーザ装置から送信された上記共有チャネルを受信し、復号を行う。上述したような、共有チャネルを用いて通信を行うユーザ装置を選別する処理は、スケジューリング処理と呼ばれる。
【先行技術文献】
【非特許文献】
【００１０】
【非特許文献１】3GPP TR 25.814 (V7.0.0), "Physical Layer Aspects for Evolved UTRA," June 2006
【非特許文献２】R1-070103, Downlink L1/L2 Control Signaling Channel Structure: Coding
【非特許文献３】3GPP，R1-071654，NTT  DoCoMo，Mitsubishi  Electric，Sharp，"Transmission  Interval  of  Cat.0  information  in  E-UTRA  Downlink",March,  2007
【発明の概要】
【発明が解決しようとする課題】
【００１１】
しかしながら、上述した背景技術には以下の問題がある。
【００１２】
L1/L2制御チャネルに、その無線リソースの量、いわゆるパート０情報（Cat.0  information）が含まれることが提案されている（例えば、非特許文献３参照）。さらに、パート０情報の送信間隔について、TTI毎に送信することが合意されている。
【００１３】
しかし、時間−周波数領域において、パート０情報のマッピング位置については検討されていない。
【００１４】
そこで、本発明は、上述した課題に鑑み、その目的は、制御チャネルに用いる無線リソース量を通知できる基地局装置及び通信制御方法を提供することにある。
【課題を解決するための手段】
【００１５】
本基地局装置は、
下りリンクにOFDM方式が適用される移動通信システムで使用される基地局装置であって、
データチャネルを生成するデータチャネル生成部と、
前記データチャネル生成部において生成したデータチャネルの割当情報が少なくとも含まれた制御チャネルを生成する制御チャネル生成部と、
前記制御チャネル生成部において生成した制御チャネルに使用されるＯＦＤＭシンボル数を示す情報が含まれたパート０情報を生成するパート０情報生成部と、
前記パート０情報生成部において生成したパート０情報、前記制御チャネル生成部において生成した制御チャネル、前記データチャネル生成部において生成したデータチャネルをマッピングするマッピング部と
を備え、
前記マッピング部は、複数のＯＦＤＭシンボルによって形成されたサブフレームの先頭から所定数個のＯＦＤＭシンボルに、制御チャネルをマッピングするとともに、サブフレームの先頭のＯＦＤＭシンボルのうち、セル毎に周波数領域で互いに重ならないようなサブキャリアに、パート０情報をマッピングする。
【００１６】
本送信方法は、
下りリンクにOFDM方式が適用される移動通信システムで使用される基地局装置における送信方法であって、
データチャネルを生成するステップと、
生成したデータチャネルの割当情報が少なくとも含まれた制御チャネルを生成するステップと、
生成した制御チャネルに使用されるＯＦＤＭシンボル数を示す情報が含まれたパート０情報を生成するステップと、
生成したパート０情報、生成した制御チャネル、生成したデータチャネルをマッピングするステップと
を備え、
前記マッピングするステップは、複数のＯＦＤＭシンボルによって形成されたサブフレームの先頭から所定数個のＯＦＤＭシンボルに、制御チャネルをマッピングするとともに、サブフレームの先頭のＯＦＤＭシンボルのうち、セル毎に周波数領域で互いに重ならないようなサブキャリアに、パート０情報をマッピングする。
【発明の効果】
【００１７】
本発明の実施例によれば、制御チャネルに用いる無線リソース量を通知できる基地局装置及び通信制御方法を実現することができる。
【図面の簡単な説明】
【００１８】
【図１】本発明の実施例に係る無線通信システムの構成を示すブロック図である。
【図２】本発明の一実施例に係る基地局装置を示す部分ブロック図である。
【図３】本発明の一実施例に係る基地局装置を示す部分ブロック図である。
【図４】１つの周波数ブロックに関する信号処理要素を示す部分ブロック図である。
【図５】１つの周波数ブロックに関する信号処理要素を示す部分ブロック図である。
【図６】制御シグナリングチャネルの情報項目例を示す説明図である。
【図７】サブフレーム構成を示す説明図である。
【図８】OFDMシンボル＃１及び＃２におけるサブキャリアマッピングの一例を示す説明図である。
【図９】L1/L2制御チャネルに使用される無線リソース量をパート０情報で通知する場合のL1/L2制御チャネルのフォーマットを示す説明図である。
【図１０】パート０情報とL1/L2制御チャネルの無線リソース量との対応を示す説明図である。
【図１１】パート０情報の送信方法を示す説明図である。
【図１２】３セクタ構成の場合でのL1/L2制御チャネル内のパート０情報のマッピング例を示す説明図である。
【図１３】L1/L2制御チャネルの多重方式例を示す説明図である。
【図１４】複数のユーザを多重する場合のL1/L2制御チャネルの多重例を示す説明図である。
【図１５】各ユーザの制御チャネルのマッピング例を示す説明図である。
【図１６】各ユーザの制御チャネルのマッピング例を示す説明図である。
【図１７】本発明の一実施例に係るユーザ装置の部分ブロック図である。
【図１８】本発明の一実施例に係るユーザ装置の部分ブロック図である。
【発明を実施するための形態】
【００１９】
以下、本発明の実施例を、図面を参照しつつ説明する。実施例を説明するための全図において、同一機能を有するものは同一符号を用い、繰り返しの説明は省略する。
【００２０】
図１を参照しながら、本発明の実施例に係るユーザ装置及び基地局装置を有する無線通信システムについて説明する。
【００２１】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数のユーザ装置（ＵＥ：  Ｕｓｅｒ  Ｅｑｕｉｐｍｅｎｔ）１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。ユーザ装置１００ｎはセル５０において基地局装置２００とＥｖｏｌｖｅｄ  ＵＴＲＡ  ａｎｄ  ＵＴＲＡＮにより通信を行っている。
【００２２】
各ユーザ装置（１００１、１００２、１００３、・・・１００ｎ）は、同一の構成、機能、状態を有するので、以下では特段の断りがない限りユーザ装置１００ｎとして説明を進める。説明の便宜上、基地局装置と無線通信するのはユーザ装置であるが、より一般的には移動端末も固定端末も含むユーザ装置（ＵＥ：  Ｕｓｅｒ  Ｅｑｕｉｐｍｅｎｔ）でよい。
【００２３】
無線通信システム１０００では、無線アクセス方式として、下りリンクについてはOFDMＡ（直交周波数分割多元接続）が、上りリンクについてはＳＣ−ＦＤＭＡ（シングルキャリア−周波数分割多元接続）が適用される。上述したように、OFDMＡは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。
【００２４】
ここで、Ｅｖｏｌｖｅｄ  ＵＴＲＡ  ａｎｄ  ＵＴＲＡＮにおける通信チャネルについて説明する。
【００２５】
下りリンクについては、各ユーザ装置１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りL1/L2制御チャネルとも呼ばれる。上記物理下りリンク共有チャネルにより、ユーザデータ、すなわち、通常のデータ信号が伝送される。また、物理下りリンク制御チャネルにより、ダウンリンクスケジューリングインフォメーション（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が伝送される。ＤＬ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。
【００２６】
また、ＵＬ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。
【００２７】
また、Ａｃｋｎｏｗｌｅｄｇｅｍｅｎｔ  ｉｎｆｏｒｍａｔｉｏｎ（ＡＣＫ／ＮＡＣＫ）とは、上りリンクの共有チャネルに関する送達確認情報のことである。
【００２８】
上りリンクについては、各ユーザ装置１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。
【００２９】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。
【００３０】
図２は本発明の一実施例による基地局装置の部分ブロック図を示す。図２には、周波数ブロック割当制御部３１、周波数スケジューリング部３２、周波数ブロック１での制御シグナリングチャネル生成部３３−１及びデータチャネル生成部３４−１、...周波数ブロックＭでの制御シグナリングチャネル生成部３３−Ｍ及びデータチャネル生成部３４−Ｍ、報知チャネル（又はページングチャネル）生成部３５、周波数ブロック１に関する第１多重部１−１、...周波数ブロックＭに関する第１多重部１−Ｍ、第２多重部３７、第３多重部３８、他チャネル生成部３９、逆高速フーリエ変換部４０（ＩＦＦＴ）及びサイクリックプレフィックス（ＣＰ）付加部４１が描かれている。
【００３１】
周波数ブロック割当制御部３１は、ユーザ装置（移動端末でも固定端末でもよい）１００ｎから報告された通信可能な最大帯域幅に関する情報に基づいて、そのユーザ装置が使用する周波数ブロックを確認する。周波数ブロック割当制御部３１は個々のユーザ装置１００ｎと周波数ブロックとの対応関係を管理し、その内容を周波数スケジューリング部３２に通知する。ある帯域幅で通信可能なユーザ装置１００ｎがどの周波数ブロックで通信してよいかについては、事前に報知チャネルで報知されていてもよい。例えば、報知チャネルは、５ＭＨｚの帯域幅で通信するユーザ装置１００ｎに対して、周波数ブロック１，２，３，４の何れかの帯域の使用を許可してもよいし、それらの内の何れかに使用が制限されてもよい。また、１０ＭＨｚの帯域幅で通信するユーザ装置１００ｎに対して、周波数ブロック（１，２）、（２，３）又は（３，４）のような隣接する２つの周波数ブロックの組み合わせの使用が許可される。これら全ての使用が許可されてもよいし、或いは何れかの組み合わせに使用が制限されてもよい。１５ＭＨｚの帯域幅で通信するユーザ装置１００ｎに対して、周波数ブロック（１，２，３）又は（２，３，４）のような隣接する３つの周波数ブロックの組み合わせの使用を許可する。双方の使用が許可されてもよいし、或いは一方の組み合わせに使用が制限されてもよい。２０ＭＨｚの帯域幅で通信するユーザ装置１００ｎに対しては全ての周波数ブロックが使用される。使用可能な周波数ブロックは所定の周波数ホッピングパタンに従って通信開始後に変更されてもよい。
【００３２】
周波数スケジューリング部３２は、複数の周波数ブロックの各々の中で周波数スケジューリングを行う。１つの周波数ブロック内での周波数スケジューリングは、ユーザ装置１００ｎから報告されたリソースブロック毎のチャネル状態情報ＣＱＩに基づいて、チャネル状態の良いユーザ装置１００ｎにリソースブロックを優先的に割り当てるようにスケジューリング情報を決定する。
【００３３】
周波数ブロック１での制御シグナリングチャネル生成部３３−１は、周波数ブロック１内のリソースブロックだけを用いて、周波数ブロック１内でのスケジューリング情報をユーザ装置１００ｎに通知するための制御シグナリングチャネルを構成する。他の周波数ブロックも同様に、その周波数ブロック内のリソースブロックだけを用いて、その周波数ブロック内でのスケジューリング情報をユーザ装置１００ｎに通知するための制御シグナリングチャネルを構成する。
【００３４】
周波数ブロック１でのデータチャネル生成部３４−１は、周波数ブロック１内の１以上のリソースブロックを用いて伝送されるデータチャネルを生成する。周波数ブロック１は１以上のユーザ装置（ユーザ）で共有されてよいので、図示の例ではＮ個のデータチャネル生成部１−１〜Ｎが用意されている。他の周波数ブロックについても同様に、その周波数ブロックを共有するユーザ装置のデータチャネルが生成される。
【００３５】
周波数ブロック１に関する第１多重部１−１は、周波数ブロック１に関する信号を多重化する。この多重化は少なくとも周波数多重を含む。制御シグナリングチャネル及びデータチャネルがどのように多重されるかについては後述される。他の第１多重部１−ｘも同様に周波数ブロックｘで伝送される制御シグナリングチャネル及びデータチャネルを多重化する。
【００３６】
第２多重部３７は、様々な多重部１−ｘ（ｘ＝１，...，Ｍ）の周波数軸上での位置関係を所定のホッピングパタンに従って変更する動作を行う。
【００３７】
報知チャネル（又はページングチャネル）生成部３５は、局データのような配下のユーザ装置１００ｎに通知するための報知情報を生成する。ユーザ装置１００ｎの通信可能な最大周波数帯域とそのユーザ装置１００ｎが使用可能な周波数ブロックとの関係を示す情報が制御情報に含まれてもよい。使用可能な周波数ブロックが様々に変更される場合には、それがどのように変化するかを示すホッピングパタンを指定する情報が報知情報に含まれてもよい。なお、ページングチャネルは、報知チャネルと同じ帯域で送信されてもよいし、各ユーザ装置１００ｎで使用される周波数ブロックで送信されてもよい。
【００３８】
他チャネル生成部３９は制御シグナリングチャネル及びデータチャネル以外のチャネルを生成する。例えば他チャネル生成部３９はパイロットチャネルを生成する。
【００３９】
第３多重部３８は各周波数ブロックの制御シグナリングチャネル及びデータチャネルと、報知チャネル及び／又は他のチャネルとを必要に応じて多重化する。
【００４０】
逆高速フーリエ変換部４０は第３多重部３８から出力された信号を逆高速フーリエ変換し、OFDM方式の変調を行う。
【００４１】
サイクリックプレフィックス（ＣＰ）付加部４１はOFDM方式の変調後のシンボルにガードインターバルを付加し、送信シンボルを生成する。送信シンボルは例えばOFDMシンボルの末尾（又は先頭）の一連のデータを先頭（又は末尾）に付加することで作成されてもよい。
【００４２】
図３は図２のＣＰ付加部４１に続く要素を示す。ガードインターバルの付加されたシンボルは、ＲＦ送信回路でディジタルアナログ変換、周波数変換及び帯域制限等の処理を経て、電力増幅器で適切な電力に増幅され、デュプレクサ及び送受信アンテナを介して送信される。
【００４３】
本発明に必須ではないが、本実施例では受信時に２アンテナによるアンテナダイバーシチ受信が行われる。２つのアンテナで受信された上り信号は、上り信号受信部に入力される。
【００４４】
図４は１つの周波数ブロック（ｘ番目の周波数ブロック）に関する信号処理要素を示す。ｘは１以上Ｍ以下の整数である。概して、周波数ブロックｘに関する制御シグナリングチャネル生成部３３−ｘ及びデータチャネル生成部３４−ｘ、多重部４３−Ａ，Ｂ、多重部１−ｘが示されている。制御シグナリングチャネル生成部３３−ｘは、L1/L2制御チャネル生成部４１及び１以上のL1/L2制御チャネル生成部４２−Ａ，Ｂ，...を有する。
【００４５】
L1/L2制御チャネル生成部４１は制御シグナリングチャネルのうち、その周波数ブロックを使用する全ての端末が復号及び復調しなければならないL1/L2制御チャネルの部分にチャネル符号化及び多値変調を行い、それを出力する。
【００４６】
L1/L2制御チャネル生成部４２−Ａ，Ｂ，...は、制御シグナリングチャネルのうち、その周波数ブロックの中で１以上のリソースブロックの割り当てられたユーザ装置１００ｎが復号及び復調しなければならないL1/L2制御チャネルの部分にチャネル符号化及び多値変調を行い、それを出力する。
【００４７】
データチャネル生成部ｘ−Ａ，Ｂ，...は、個々の端末Ａ，Ｂ，...宛のデータチャネルについてのチャネル符号化及び多値変調をそれぞれ行う。このチャネル符号化及び多値変調に関する情報は、上記の特定制御チャネルに含まれる。
【００４８】
多重部４３−Ａ，Ｂ，...は、リソースブロックの割り当てられた端末各々についてL1/L2制御チャネル及びデータチャネルをリソースブロックに対応付ける。
【００４９】
図５は図４と同様に、１つの周波数ブロックに関する信号処理要素を示すが、個々の制御情報を具体的に明示している点で図４と異なって見える。図４及び図５で同じ参照符号は同じ要素を示す。図中、「リソースブロック内マッピング」とは特定の通信端末に割り当てられた１以上のリソースブロックに限定してマッピングされることを示す。「リソースブロック外マッピング」とは多数のリソースブロックを含む周波数ブロック全域にわたってマッピングされることを示す。L1/L2制御チャネル内のパート０は、周波数ブロック全域で送信される。L1/L2制御チャネルの内の上りデータ伝送に関連する情報は、下りデータチャネル用にリソースが割り当てられていればそのリソースで、そうでなければ周波数ブロック全域で送信される。
【００５０】
図６は下り制御シグナリングチャネルの種類及び情報項目の一例を示す。下り制御シグナリングチャネルには、報知チャネル（ＢＣＨ）、個別Ｌ３シグナリングチャネル（上位レイヤ制御チャネル又は高レイヤ制御チャネル）及びL1/L2制御チャネル（低レイヤ制御チャネル）が含まれる。L1/L2制御チャネルには下りデータ伝送用の情報だけでなく上りデータ伝送用の情報が含まれてもよい。また、L1/L2制御チャネルにはL1/L2制御チャネルの伝送フォーマット（データ変調方式及びチャネル符号化率、同時割り当てユーザ数等）が含まれてもよい。以下、各チャネルで伝送される情報項目を概説する。
【００５１】
（報知チャネル）
報知チャネルはセル内で不変な情報や低速でしか変化しない情報を通信端末（移動端末でも固定端末でもよく、ユーザ装置と呼ばれてもよい）に通知するのに使用される。例えば1000ms（１秒）程度の周期でしか変化しないような情報は、報知情報として通知されてもよい。報知情報には、同時割当最大ユーザ数、リソースブロック配置情報及びMIMO方式情報が含まれてもよい。同時割当最大ユーザ数（ユーザ多重数）は、１サブフレームの下りL1/L2制御チャネルの中に何人分の制御情報が多重されているかを示す。この数は、上りリンク及び下りリンク別々に指定されてもよいし(NUMAX,NDMAX)、上下リンクを合わせた合計数(Nall)で表現されてもよい。
【００５２】
同時割当最大ユーザ数は、1TTIに，ＦＤＭ、ＣＤＭ及びＴＤＭの１以上を用いて多重可能な最大数を表す。この数は上りリンク及び下りリンクで同じでもよいし、異なってもよい。
【００５３】
リソースブロック配置情報は、そのセルで使用されるリソースブロックの周波数，時間軸上での位置を特定するための情報である。本実施例では、周波数分割多重（FDM）方式としてローカライズド(localized)FDM方式と、ディストリビュート(distributed)FDM方式の２種類を利用可能である。ローカライズドFDM方式では、周波数軸上で局所的に良いチャネル状態のユーザに優先的に連続的な帯域が割り当てられる。この方式は、移動度の小さなユーザの通信や、高品質で大容量のデータ伝送等に有利である。ディストリビュートFDM方式では、広帯域に渡って断続的に複数の周波数成分を有するように下り信号が作成される。この方式は、移動度の大きなユーザの通信や、音声パケット（VoIP）のような周期的且つ小さなデータサイズのデータ伝送等に有利である。何れの方式が使用されるにせよ、周波数リソースは連続的な帯域又は離散的な複数の周波数成分を特定する情報に従って、リソースの割り当てが行われる。
【００５４】
MIMO方式情報は、基地局装置に複数のアンテナが用意されている場合に、シングルユーザマイモ(SU-MIMO:  Single  User  -  Multi  Input  Multi  Output)方式又はマルチユーザマイモ（MU-MIMO:  Multi  -  User  MIMO）方式の何れが行われるかが示される。SU-MIMO方式は複数アンテナの通信端末１台と複数アンテナの基地局装置が通信を行う方式であり、MU-MIMO方式は複数の通信端末と同時に基地局装置が通信を行う方式である。
【００５５】
下りリンクのMU-MIMO方式では、基地局装置の１以上のアンテナ(例えば、２アンテナの内の第１アンテナ)から或るユーザ装置UEA宛の信号が送信され、別の１以上のアンテナ(例えば、２アンテナの内の第２アンテナ)から別のユーザ装置UEB宛の信号が送信される。上りリンクのMU-MIMO方式では、或るユーザ装置UEAからの信号と別のユーザ装置UEBからの信号が基地局装置の複数のアンテナで同時に受信される。各ユーザ装置からの信号は、ユーザ装置毎に割り当てられたリファレンス信号で区別されてもよい。この目的のリファレンス信号にはカザック(CAZAC)符号系列を利用することが望ましい。カザック符号系列は、同一系列であっても巡回シフト量が異なれば互いに直交する性質を有するので、例えば、直交系列を簡易に用意できるからである。
【００５６】
（個別Ｌ３シグナリングチャネル）
個別L3シグナリングチャネルも、例えば1000ms周期のような低速で変化する情報を通信端末に通知するのに使用される。報知チャネルはセル内の全通信端末に通知されるが、個別L3シグナリングチャネルは特定の通信端末にしか通知されない。個別L3シグナリングチャネルには、FDM方式の種別及びパーシステントスケジューリング情報が含まれる。
【００５７】
FDM方式の種別は、特定された個々の通信端末がローカライズドFDM方式又はディストリビュートFDM方式の何れで多重されるかを指示する。
【００５８】
パーシステントスケジューリング情報は、パーシステント(Persistent)スケジューリングが行われる場合に、上り又は下りデータチャネルの伝送フォーマット（データ変調方式及びチャネル符号化率）や、使用されるリソースブロック等を特定する。
【００５９】
（L1/L2制御チャネル）
下りL1/L2制御チャネルには、下りリンクのデータ伝送に関連する情報だけでなく、上りリンクのデータ伝送に関連する情報が含まれてもよい。更に、L1/L2制御チャネルの伝送フォーマットを示す情報ビット（パート０）が含まれてもよい。
【００６０】
（パート０）
パート０情報(以下、簡明化のため「パート０」という。)には、L1/L2制御チャネルの伝送フォーマット（変調方式及びチャネル符号化率、同時割当ユーザ数又は全体の制御ビット数）が含まれる。パート０には、同時割当ユーザ数（又は全体の制御ビット数）が含まれる。また、パート０情報には、L1/L2制御チャネルに使用される無線リソース量を示す情報が含まれる。
【００６１】
L1/L2制御チャネルに必要なシンボル数は、同時多重ユーザ数及び多重するユーザの受信品質に依存する。典型的にはL1/L2制御チャネルのシンボル数を十分に大きくしておく。シンボル数を変更する場合には、報知チャネルで通知されるL1/L2制御チャネルの伝送フォーマットによって、例えば1000ms（１秒）程度の周期で制御することができる。しかし、同時多重ユーザ数が小さければ、制御チャネルとして必要なシンボル数は少なくて済む。従って、短い周期で同時多重ユーザ数及び多重するユーザの受信品質が変化する場合に、L1/L2制御チャネル用のリソースがかなり多く確保されたままであったとすると、多くの無駄が生じてしまうおそれがある。このようなL1/L2制御チャネルの無駄を低減するため、L1/L2制御チャネル内で、パート０情報（変調方式及びチャネル符号化率、同時割当ユーザ数（又は全体の制御ビット数））を通知してもよい。L1/L2制御チャネル内で変調方式及びチャネル符号化率を通知することで、報知チャネルによる通知より短い周期で変調方式及びチャネル符号化率を変更することが可能になる。１サブフレームの中でL1/L2制御チャネルの占めるシンボル数が、或る選択肢の範疇に制約される場合には、その選択肢のどれが使用されているかを特定することで、伝送フォーマットを特定できる。例えば、後述されるように４パタンの伝送フォーマットが用意されている場合には、このパート０情報は２ビットで表現されてよい。
【００６２】
（下りデータ伝送関連情報）
下りデータ伝送関連情報には、ページングインジケータ（ＰＩ）が含まれる。各ユーザ装置１００ｎはページングインジケータを復調することで、自ユーザ装置１００ｎに対する呼出がなされているか否かを確認できる。より具体的には、ユーザ装置１００ｎは、自ユーザ装置１００ｎに割り当てられているグループ番号がページングインジケータ中に有るか否かを確認し、それが発見された場合にはページングチャネル（ＰＣＨ）を復調する。ＰＩとＰＣＨの位置関係は既知であるようにする。ユーザ装置１００ｎは、ページングチャネル（ＰＣＨ）の中に自ユーザ装置１００ｎの識別情報（例えば、自ユーザ装置１００ｎの電話番号）が有るか否かを確認することで、着信の有無を調べることができる。
【００６３】
L1/L2制御チャネルでページングインジケータ（ＰＩ）を送信する方式として、L1/L2制御チャネルの中でPI用に専用に用意された情報部分を利用する方式と、そのような専用の情報部分を用意しないことが考えられる。
【００６４】
下りデータ伝送関連情報には、下りデータチャネルのリソース割当情報、割当時間長及びＭＩＭＯ情報が含まれる。
【００６５】
下りデータチャネルのリソース割当情報は、下りデータチャネルが含まれているリソースブロックを特定する。リソースブロックの特定については、当該技術分野で既知の様々な方法が使用可能である。例えば、ビットマップ方式、ツリー分岐番号方式等が使用されてもよい。
【００６６】
割当時間長は、下りデータチャネルがどの程度の期間連続して伝送されるかを示す。最も頻繁にリソース割当内容が変わる場合は、ＴＴＩ毎であるが、オーバヘッドを削減する観点から、複数のＴＴＩにわたって同じリソース割当内容でデータチャネルが伝送されてもよい。
【００６７】
ＭＩＭＯ情報は、通信にＭＩＭＯ方式が使用される場合に、アンテナ数、ストリーム数等を指定する。ストリーム数は情報系列数と呼んでもよい。アンテナ数及びストリーム数は適切な如何なる数でもよいが、一例として４つでもよい。
【００６８】
なお、ユーザ識別情報が含まれることは必須でないが、例えば１６ビットのユーザ識別情報の全部又は一部が含まれてもよい。
【００６９】
下りデータ伝送関連情報には、ＭＩＭＯ方式が使用される場合のプリコーディング情報、下りデータチャネルの伝送フォーマット、ハイブリッド再送制御（ＨＡＲＱ）情報及びＣＲＣ情報が含まれる。
【００７０】
ＭＩＭＯ方式が使用される場合のプリコーディング情報は、複数のアンテナの個々に適用される重み係数を特定する。各アンテナに適用される重み係数（プリコーディングベクトル）を調整することで、通信信号の指向性が調整される。受信側(ユーザ装置)はそのような指向性に応じたチャネル推定を行う必要がある。
【００７１】
下りデータチャネルの伝送フォーマットは、データ変調方式とチャネル符号化率で特定される。チャネル符号化率の代わりに、データサイズ又はペイロードサイズが通知されてもよい。データ変調方式とデータサイズからチャネル符号化率が一意に導出可能だからである。一例として伝送フォーマットは８ビット程度で表現されてもよい。
【００７２】
ハイブリッド再送制御（HARQ:  Hybrid  Automatic  Repeat  ReQuest）情報は、下りパケットの再送制御に必要な情報を含む。具体的には、再送制御情報は、プロセス番号、パケット合成法を示す冗長バージョン情報、及び新規パケットであるか再送パケットであるかを見分けるための新旧インジケータ（New  Data  Indicator）を含む。一例としてハイブリッド再送制御情報は６ビット程度で表現されてもよい。
【００７３】
ＣＲＣ情報は、誤り検出に巡回冗長検査法が使用される場合に、ユーザ識別情報（UE-ID）が畳み込まれたCRC検出ビットを示す。
【００７４】
上りリンクのデータ伝送に関連する情報は以下のようにパート１乃至パート４の４種類に分類できる。
【００７５】
（パート１）
パート１には、過去の上りデータチャネルに対する送達確認情報が含まれる。送達確認情報は、パケットに誤りがなかったこと若しくはあったとしても許容範囲内であったことを示す肯定応答（ACK）、或いはパケットに許容範囲を超える誤りがあったことを示す否定応答（NACK）を示す。送達確認情報は、実質的には１ビットで表現されてよい。
【００７６】
（パート２）
パート２には、将来の上りデータチャネルに対するリソース割当情報、その上りデータチャネルの伝送フォーマット、送信電力情報及びCRC情報が含まれる。
【００７７】
リソース割当情報は、上りデータチャネルの送信に使用可能なリソースブロックを特定する。リソースブロックの特定については、当該技術分野で既知の様々な方法が使用可能である。例えば、ビットマップ方式、ツリー分岐番号方式等が使用されてもよい。
【００７８】
上りデータチャネルの伝送フォーマットは、データ変調方式とチャネル符号化率で特定される。チャネル符号化率の代わりに、データサイズ又はペイロードサイズが通知されてもよい。データ変調方式とデータサイズからチャネル符号化率が一意に導出可能だからである。一例として、伝送フォーマットは８ビット程度で表現されてもよい。
【００７９】
送信電力情報は、上りリンクで伝送されるデータチャネルがどの程度の電力で送信されるべきかを示す。本発明の一形態では、上りパイロットチャネルが例えば数ミリ秒程度の比較的短い周期Trefで反復的にユーザ装置１００ｎから基地局装置に送信される。上りパイロットチャネルの送信電力Prefは、過去に送信された上りパイロットチャネルの送信電力以上に又は以下になるように、基地局装置から通知された送信電力制御情報(TPCコマンド)に従って周期Tref以上に長い周期TTPCで更新される。上りL1/L2制御チャネルは、上りパイロットチャネルの送信電力Prefに、基地局装置から通知された第１オフセット電力ΔL1/L2を加えた電力で送信される。上りデータチャネルは、上りパイロットチャネルの送信電力Prefに、基地局装置から通知された第２オフセット電力Δdataを加えた電力で送信される。このようなデータチャネルに関するオフセット電力Δdataは、パート２の送信電力情報に含まれる。L1/L2制御チャネル用のオフセット電力ΔL1/L2は、後述のパート４の送信電力情報に含まれる。また、パイロットチャネルの送信電力を更新するためのTPCコマンドもパート４に含まれる。
【００８０】
第１オフセット電力情報ΔL1/L2は、不変に維持されてもよいし、可変に制御されてもよい。後者の場合には、報知情報BCHとして又はレイヤ３シグナリング情報としてユーザ装置に通知が行われてもよい。第２オフセット電力情報Δdataは、L1/L2制御信号でユーザ装置に通知されてもよい。第１オフセット電力情報ΔL1/L2は、制御信号に含まれる情報量の多少に応じて第１オフセット電力も増減するように決定されてもよい。第１オフセット電力情報ΔL1/L2は、制御信号の受信品質の良否に応じて異なるように決定されてもよい。第２オフセット電力情報Δdataは、データ信号の受信品質の良否に応じて異なるように決定されてもよい。ユーザ装置１００ｎが在圏するセルの周辺セルからの低電力化の要請（オーバーロードインジケータ）に協力して、上りデータチャネルが、上りパイロットチャネルの送信電力Pref及び第２オフセット電力Δdataの和より少ない電力で送信されてもよい。
【００８１】
CRC情報は、誤り検出に巡回冗長検査法が使用される場合に、ユーザ識別情報（UE-ID）が畳み込まれたCRC検出ビットを示す。なお、ランダムアクセスチャネル（RACH）に対する応答信号（下りL1/L2制御チャネル）では、UE-IDとして、RACHプリアンブルのランダムIDが使用されてもよい。
【００８２】
（パート３）
パート３には、上り信号に関する送信タイミング制御ビットが含まれる。これは、セル内の通信端末間の同期をとるための制御ビットである。この情報は、下りデータチャネルにリソースブロックが割り当てられていれば特定制御情報として通知されてもよいし、不特定制御情報として通知されてもよい。
【００８３】
（パート４）
パート４は通信端末の送信電力に関する送信電力情報を含み、この情報は、上りデータチャネルの伝送用にリソースが割り当てられなかった通信端末が、例えば下りリンクのCQIを報告するためにどの程度の電力で上り制御チャネルを送信すべきかを示す。上記のオフセット電力ΔL1/L2及びTPCコマンドはこのパート４の情報に含まれる。
【００８４】
図７はデータチャネル及び制御チャネルのマッピング例を示す。下りリンク伝送では、図７に示すように、１サブフレームは、例えば１ｍｓであり、１サブフレームの中に１４個のOFDMシンボル（OFDM  ｓｙｍｂｏｌ）が存在する。図７において、時間軸方向の番号（＃１、＃２、＃３、・・・、＃１４）はOFDMシンボルを識別する番号を示し、周波数軸方向の番号（＃１、＃２、＃３、・・・、＃Ｍ−１、＃Ｍ、ＭはＭ＞０の整数）はリソースブロック（Ｒｅｓｏｕｒｃｅ  Ｂｌｏｃｋ）を識別する番号を示す。図示のマッピング例は、１つの周波数ブロック及び１つのサブフレームに関するものである場合には、概して第1多重部１−ｘの出力内容に相当する。リソースブロックは、図２の周波数スケジューリング部３２によって、チャネル状態の良い端末に割り当てられる。
【００８５】
１サブフレームの先頭のＮ個のOFDMシンボルには、上記物理下りリンク制御チャネルがマッピングされる。Ｎの値としては、１、２、３の３通りが設定される。図７においては、１サブフレームの先頭の２個のOFDMシンボル（Ｎ＝２）、すなわち、OFDMシンボル＃１及び＃２に上記物理下りリンク制御チャネルがマッピングされている。そして、上記物理下りリンク制御チャネルがマッピングされるOFDMシンボル以外のOFDMシンボルにおいて、ユーザデータや同期チャネル（ＳＣＨ）、報知チャネル（ＢＣＨ）、パーシステントスケジューリング（Ｐｅｒｓｉｓｔｅｎｔ  Ｓｃｈｅｄｕｌｉｎｇ）が適用されるデータ信号が送信される。L1/L2制御チャネル等及びデータチャネル等は時間多重されている。
【００８６】
また、周波数方向においては、Ｍ個のリソースブロックが定義される。ここで、１リソースブロックあたりの周波数帯域は、例えば１８０ｋＨｚであり、１リソースブロックの中に１２個のサブキャリアが存在する。また、リソースブロックの数Ｍは、システム帯域幅が５ＭＨｚの場合には２５であり、システム帯域幅が１０ＭＨｚの場合には５０であり、システム帯域幅が２０ＭＨｚの場合には１００である。
【００８７】
図８に、図７に示すサブフレームの構成を持つ場合の、OFDMシンボル＃１及び＃２におけるサブキャリアマッピング例を示す。尚、同図において、１OFDMシンボルのサブキャリアの数をＬ（Ｌは、Ｌ＞０の整数）とし、周波数の小さい方から、サブキャリア＃１、＃２、…、＃Ｌと番号付けを行っている。システム帯域幅が５ＭＨｚの場合には、Ｌ＝３００であり、システム帯域幅が１０ＭＨｚの場合には、Ｌ＝６００であり、システム帯域幅が２０ＭＨｚの場合には、Ｌ＝１２００である。同図に示すように、OFDMシンボル＃１のサブキャリアには、下りリンクリファレンスシグナル（ＤＬ  ＲＳ：  Ｄｏｗｎｌｉｎｋ  Ｒｅｆｅｒｅｎｃｅ  Ｓｉｇｎａｌ）と物理下りリンク制御チャネルがマッピングされる。また、OFDMシンボル＃２には、物理下りリンク制御チャネルがマッピングされる。特にL1/L2制御チャネル内のパート０情報は、遅延時間を短くする必要があるため、先頭OFDMシンボルに多重される。図示の例ではL1/L2制御チャネル及び他の制御チャネルは、何らかの間隔を隔てて並んだ複数の周波数成分を各々が有するように周波数多重される。このような多重化方式は、ディストリビュート周波数分割多重化(distributed  FDM)方式と呼ばれる。ディストリビュートFDM方式は周波数ダイバーシチ効果が得られる点で有利である。周波数成分同士の間隔は全て同じでもよいし異なっていてもよい。いずれにせよ、L1/L2制御チャネルが複数のリソースブロック全域(実施例ではシステム帯域全域)にわたって分散していることを要する。更に、ユーザ多重数の増加に対応するため、別法としてCDM方式を適用することも可能である。CDM方式では周波数ダイバーシチ効果が更に大きくなるという利点がある一方で、直交性の崩れによる受信品質の劣化が生じる欠点もある。
【００８８】
例えば、ＤＬ  ＲＳは、OFDMシンボル＃１において、６個のサブキャリアに１個の割合で送信される。図においては、サブキャリア＃６×ｄ−５（但し、ｄ：１、２、…）にＤＬ  ＲＳがマッピングされている。また、上記ＤＬ  ＲＳがマッピングされているサブキャリア以外のサブキャリアに物理下りリンク制御チャネルがマッピングされる。図においては、上記物理下りリンク制御チャネルにより送信される情報の内、Ａｃｋｎｏｗｌｅｄｇｅｍｅｎｔ  ｉｎｆｏｒｍａｔｉｏｎ（ＵＬ  ＡＣＫ／ＮＡＣＫ）がマッピングされるサブキャリアの例を示した。図においては、サブキャリア＃３と、サブキャリア＃Ｌ−３にマッピングされている例を示している。Ａｃｋｎｏｗｌｅｇｅｍｅｎｔ  ｉｎｆｏｒｍａｔｉｏｎがマッピングされるサブキャリアの数は、上りリンクにおいて1サブフレームに多重されるユーザ装置の数の最大数、すなわち、1サブフレームにおいて上りリンクの共有チャネルを送信するユーザ装置の数の最大数により決定される。
【００８９】
尚、物理下りリンク制御チャネルがマッピングされるOFDMシンボルの数が３の場合のOFDMシンボル＃３の構成は、図８におけるOFDMシンボル＃２の構成と基本的に同じである。
【００９０】
次にL1/L2制御チャネル内のパート０情報の具体的なフォーマットを説明する。
【００９１】
図９はL1/L2制御チャネルのフォーマット例を示す。図示の例では、L1/L2制御チャネルのフォーマットとして４パタンが用意され、L1/L2制御チャネルのシンボル数（又は同時割当ユーザ数）はパタン毎に異なる。４パタンの内のどれが使用されているかは、パート０情報で通知される。上述したように、パート０情報は、L1/L2制御チャネルに用いる無線リソース量を示す。
【００９２】
パート０情報は、セル端のユーザでも正しく受信される必要があるため、オーバヘッドが大きくなる可能性がある。しかし、必要な無線リソース量は、セル半径などに大きく依存する。従って、パート０情報で使用する符号化率、繰り返し数を報知チャネルで通知できるようにする。このようにすることにより、オーバヘッドを低減できる。L1/L2制御チャネルに関し、ユーザ装置１００ｎが報知チャネルで通知された変調方式及び符号化率（MCS:  Modulation  and  Coding  Scheme）を用いる場合、同時割当ユーザ数に応じてL1/L2制御チャネルに必要なシンボル数はMCSレベルに応じて異なる。これを識別するために、L1/L2制御チャネルのパート０情報として、制御ビット（図９では２ビット）が設けられている。例えば00の制御ビットをパート０の情報として通知することにより、ユーザ装置１００ｎでこの制御ビットを復号してL1/L2制御チャネルのシンボル数が100であることを知ることができる。なお、図９の先頭の２ビットがパート０情報に相当する。また、図９では報知チャネルでMCSが通知されているが、L3シグナリングチャネルでMCSが通知されてもよい。
【００９３】
また、例えば、図１０に示すように、L1/L2制御チャネルがマッピングされるOFDMシンボルを指定するパート０情報として、２ビットで表される４種類の制御情報に対して、それぞれ０．５、１、１．５、２OFDMシンボルを割り当てる。また、２ビットで表される４種類の制御情報に対して、それぞれ１、２、２．５、３OFDMシンボルを割り当てる。この対応は一例であり、適宜変更可能である。図１０では、０．５−２OFDMシンボルを割り当てる場合としてパタンＡ、１−３OFDMシンボルを割り当てる場合としてパタンＢが示される。
【００９４】
パタンＡ、パタンＢのどちらが使用されるかは、例えば報知情報で通知される。この場合、報知情報生成部３５は、L1/L2制御チャネルがマッピングされるOFDMシンボルを指定する制御情報に対応するL1/L2制御チャネルの無線リソース量を示す情報を含む報知情報を生成する。L1/L2制御チャネルを用いる無線リソース量についても、セル半径などに依存する。従って、パート０情報のビット構成も通知できるようにすることにより、オーバヘッドを低減できる。
【００９５】
次に、パート０情報の送信方法について、図１１を参照して説明する。
【００９６】
パート０情報には、L1/L2制御チャネルの無線リソース量を示す情報が含まれるため、できるだけ早く送信する必要がある。従って、最初のOFDMシンボルにマッピングする。図１１には、図７に示したサブフレーム構成において、最初のOFDMシンボルを示す。図１１に示すように、最初のOFDMシンボルには、リファレンスシグナルが６サブキャリア毎にマッピングされる。パート０情報は、リファレンスシグナルがマッピングされる箇所以外のサブフレーム（リソースエレメント）にマッピングされる。1リソースエレメントは１OFDMシンボルと1サブフレームで定義される。例えば、パート０情報は、所定のサブキャリア毎、例えば１２サブキャリア毎に繰り返しマッピングされる。又、フレーム毎にリファレンスシグナルのマッピング位置を変更する周波数ホッピングも行われる。従って、パート０情報とリファレンスシグナルとの衝突を低減する観点からは、パート０情報は、前フレームにおけるリファレンスシグナルのマッピング位置からのシフト量と同じだけシフトさせて、マッピングされるのが好ましい。又は、パート０情報は、リファレンスシグナルと衝突した場合のみシフトさせるようにしてもよい。
【００９７】
また、パート０情報に空間周波数ブロック符号化（SFBC：  space-frequency  block  coding）が適用され、２アンテナで送信される場合には、図１１に示すように連続する２サブキャリアがパート０情報に割り当てられる。複素シンボル２つ（C1,C2：４ビットに相当）を単位に２つのアンテナ向けに異なる符号化が行われる。図１１において、＊は複素共役する操作を示す。
【００９８】
図１２は３セクタ構成の場合でのL1/L2制御チャネル内の情報ビット（パート０情報）のマッピングを示す例である。３セクタ構成の場合には、L1/L2制御チャネルの伝送フォーマットを示す情報ビット（パート０情報）を送信するために３種類のパタンを用意しておき、それぞれのパタンが周波数領域で重ならないように各セクタに割り当ててもよい。隣接セクタ（又はセル）での送信パタンが互いに異なるようにパタンを選択することで、干渉コーディネーションの効果を得ることが可能になる。
【００９９】
図１３は様々な多重法の例を示す。上記の例ではL1/L2制御チャネルはディストリビュートFDM方式で多重されているが、符号分割多重（CDM）方式のような適切な様々な多重法が使用されてもよい。図１３（１）はディストリビュートFDM方式で多重が行われる様子を示す。離散的な複数の周波数成分を特定する番号１，２，３，４を用いることで、各ユーザの信号を適切に直交させることができる。ただし，この例のように規則的でなくてもよい。また，隣接するセル間で異なる規則を用いることで，送信電力制御を行ったときの干渉量をランダム化することができる。図１３（２）は符号分割多重（CDM）方式で多重が行われる様子を示す。コード１，２，３，４を用いることで、各ユーザの信号を適切に直交させることができる。この方式は他セル干渉を効果的に低減する観点から好ましい。
【０１００】
ところで、パート０情報の伝送方法に関し、パート０情報に適用されるMCS(変調方式チャネル符号化率の組み合わせ)及び送信電力の双方が一定に維持されてもよいし、MCSは一定に維持されるが送信電力は可変に制御されてもよい。更に、セルに在圏する全てのユーザに対してパート０情報が共通に維持されてもよいし、ユーザによってL1/L2制御チャネルの伝送フォーマットが異なってもよい。例えば、基地局装置近傍のユーザに対してはパート０情報の内容を様々に適宜変更することで伝送フォーマットが最適化されるが、セル端のユーザに対してはそのように伝送フォーマットが変更されなくてもよい（一定に維持されてもよい。）。但し、個々のユーザがセル端のグループに属するか否かを示す情報が、例えば下りL1/L2制御チャネルでユーザに通知される必要がある。セル端のグループに属していなければ、適宜（極端にはTTI毎に）変更される伝送フォーマットでパート０情報が通知され、セル端のグループに属していれば一定の伝送フォーマットで制御情報が通知される。
【０１０１】
図１４は、複数のユーザを多重する場合のL1/L2制御チャネルの多重例を示す。L1/L2制御チャネルは各サブフレームにおいて３OFDMシンボル以内にマッピングされる。
【０１０２】
例えば、L1/L2制御チャネルに割り当てられたサブキャリアは、複数の制御リソースブロック（Ｃｏｎｔｒｏｌ  Ｒｅｓｏｕｒｃｅ  ｂｌｏｃｋ）を構成する。例えば、１制御リソースブロックは、Ｘサブキャリア（Ｘは、Ｘ＞０の整数）により構成される。この値Ｘは，システム帯域等により、最適な値が用意される。複数の制御リソースブロックはＦＤＭ、もしくはＣＤＭとＦＤＭのハイブリッドを用いる。複数のOFDMシンボルがL1/L2制御チャネルに用いられる場合、各制御リソースブロックはすべてのOFDMシンボルにマッピングされる。この制御リソースブロック数は、報知チャネルで通知される。
【０１０３】
L1/L2制御チャネルはＱＰＳＫ、もしくは１６ＱＡＭによりデータ変調される。複数の符号化率が用いられる場合（Ｒ１、Ｒ２、・・・、Ｒｎ）、ＲｎはＲ１／ｎとする。上りリンクスケジューリング情報と下りリンクスケジューリング情報が異なるビット数である場合でも、レートマッチング（Ｒａｔｅ  ｍａｔｃｈｉｎｇ）により同一サイズの制御リソースブロックが使用される。
【０１０４】
例えば、セル間で制御リソースブロックに含まれるシンボルのマッピングの開始位置のシフト量を異なるようにすることにより、セル(セクタ)間の干渉のランダム化を実現できる。一例について、図１５を参照して説明する。セルＡでは、各ユーザの制御リソースブロックに含まれる１及び２番目のシンボルが、ユーザ＃１（UE#1）から順にマッピングされる。次に、各ユーザの制御リソースブロックに含まれる３及び４番目のシンボルが、２ユーザ分シフトさせユーザ＃３（UE#3）から順にマッピングされる。次に、各ユーザの制御リソースブロックに含まれる５及び６番目のシンボルが、さらに２ユーザ分シフトさせユーザ＃５（UE#5）から順にマッピングされる。これらを順に例えば、第１OFDMシンボルのサブキャリア番号の若い順番から割り当てを行う。一方、セルＢでは、各ユーザの制御リソースブロックに含まれる１及び２番目のシンボルが、ユーザ＃１（UE#1）から順にマッピングされる。次に、各ユーザの制御リソースブロックに含まれる３及び４番目のシンボルが、１ユーザ分シフトさせユーザ＃２（UE#2）から順にマッピングされる。次に、各ユーザの制御リソースブロックに含まれる５及び６番目のシンボルが、さらに１ユーザ分シフトさせユーザ＃３（UE#3）から順にマッピングされる。
【０１０５】
また、例えば、図１６に示すように、セル間で制御リソースブロックに含まれるシンボルのマッピングの開始位置のシフト量を異なるようにし、さらに周辺セルにおいて使用されていないサブキャリアを使用することにより干渉のコーディネーション化を図るようにしてもよい。
【０１０６】
図１７は本発明の一実施例で使用されるユーザ装置１００ｎの部分ブロック図を示す。図１７にはキャリア周波数同調部８１、フィルタリング部８２、サイクリックプレフィックス（ＣＰ）除去部８３、高速フーリエ変換部（ＦＦＴ）８４、ＣＱＩ測定部８５、報知チャネル（又はページングチャネル）復号部８６、L1/L2制御チャネル（パート０）復号部８７、L1/L2制御チャネル復号部８８及びデータチャネル復号部８９が描かれている。
【０１０７】
キャリア周波数同調部８１は端末に割り当てられている周波数ブロックの信号を受信できるように受信帯域の中心周波数を適切に調整する。
【０１０８】
フィルタリング部８２は受信信号をフィルタリングする。
【０１０９】
サイクリックプレフィックス除去部８３は受信信号からガードインターバルを除去し、受信シンボルから有効シンボル部分を抽出する。
【０１１０】
高速フーリエ変換部（ＦＦＴ）８４は有効シンボルに含まれる情報を高速フーリエ変換し、OFDM方式の復調を行う。
【０１１１】
ＣＱＩ測定部８５は受信信号に含まれているパイロットチャネルの受信電力レベルを測定し、測定結果をチャネル状態情報ＣＱＩとして基地局装置にフィードバックする。ＣＱＩは周波数ブロック内の全てのリソースブロック毎に行われ、それらが全て基地局装置に報告される。
【０１１２】
報知チャネル（又はページングチャネル）復号部８６は報知チャネルを復号する。ページングチャネルが含まれている場合にはそれも復号する。
【０１１３】
L1/L2制御チャネル（パート０）復号部８７はL1/L2制御チャネル内のパート０の情報を復号する。このパート０により、L1/L2制御チャネルに使用される無線リソース量及びL1/L2制御チャネルの伝送フォーマットを認識することが可能になる。
【０１１４】
L1/L2制御チャネル復号部８８は受信信号に含まれているL1/L2制御チャネルを復号し、スケジューリング情報を抽出する。スケジューリング情報には、その端末宛の共有データチャネルにリソースブロックが割り当てられているか否かを示す情報、割り当てられている場合にはリソースブロック番号を示す情報等が含まれる。また、L1/L2制御チャネルには、共有データチャネルに関するデータ変調、チャネル符号化率及びＨＡＲＱの情報が含まれる。
【０１１５】
データチャネル復号部８９は、L1/L2制御チャネルから抽出した情報に基づいて、受信信号に含まれている共有データチャネルを復号する。復号結果に応じて肯定応答（ＡＣＫ）又は否定応答（ＮＡＣＫ）が基地局装置に報告されてもよい。
【０１１６】
図１８は図１７と同様に、ユーザ装置１００ｎの部分ブロック図を示すが、個々の制御情報を具体的に明示している点で図１７と異なって見える。図１７及び図１８で同じ参照符号は同じ要素を示す。図中、「リソースブロック内デマッピング」とは特定のユーザ装置１００ｎに割り当てられた１以上のリソースブロックに限定してマッピングされた情報を抽出することを示す。「リソースブロック外デマッピング」とは多数のリソースブロックを含む周波数ブロック全域にわたってマッピングされた情報を抽出することを示す。
【０１１７】
以上の実施例を含む実施形態に関し、更に、以下の項目を開示する。
【０１１８】
（１）下りリンクにOFDM方式が適用される移動通信システムで使用される基地局装置であって：
ユーザ装置に対する無線リソースの割当をサブフレーム毎に行うスケジューラ；
前記スケジューラによるスケジューリングの結果をユーザ装置に通知する制御チャネルを生成する制御チャネル生成手段；
前記制御チャネルとデータチャネルとをマッピングするマッピング手段；
を備え、
前記制御情報には、制御チャネルに使用される無線リソース量を示す情報が含まれ、
前記マッピング手段は、前記制御チャネルに使用される無線リソース量を示す情報を最初のOFDMシンボルに多重する。
【０１１９】
（２）（１）に記載の基地局装置において：
前記制御チャネルの無線リソース量を示す情報は、リファレンスシグナルがマッピングされるサブキャリア以外のサブキャリアにマッピングされる。
【０１２０】
（３）（１）又は（２）に記載の基地局装置において：
空間周波数ブロック符号化により、２アンテナ送信が行われ、
前記制御チャネルの無線リソース量を示す情報は、連続する２サブキャリアにマッピングされる。
【０１２１】
（４）（３）に記載の基地局装置において：
各ユーザの制御情報は、制御チャネルがマッピングされる３OFDMシンボル以内の各OFDMシンボルにマッピングされ、
前記マッピング手段は、各OFDMシンボルにおいて、各ユーザの制御情報をシフトさせてマッピングする。
【０１２２】
（５）（４）に記載の基地局装置において：
前記シフト量は、セル毎に異なる。
【０１２３】
（６）（３）に記載の基地局装置において：
各ユーザの制御情報は、制御チャネルがマッピングされる３OFDMシンボル以内の各OFDMシンボルにマッピングされ、
前記マッピング手段は、各OFDMシンボルにおいて、周辺セルで使用されていないサブキャリアに各ユーザの制御情報をマッピングする。
【０１２４】
（７）下りリンクにOFDM方式が適用される移動通信システムで使用される基地局装置における通信制御方法であって：
ユーザ装置に対する無線リソースの割当をサブフレーム毎に行うスケジューリングステップ；
前記スケジューリングステップによるスケジューリングの結果をユーザ装置に通知する制御チャネルを生成する制御チャネル生成ステップ；
前記L1/L2制御チャネルとデータチャネルとをマッピングするマッピングステップ；
を有し、
前記マッピングステップでは、制御情報に含まれる制御チャネルに使用される無線リソース量を示す情報を最初のOFDMシンボルに多重する。
【符号の説明】
【０１２５】
３１  周波数ブロック割当制御部
３２  周波数スケジューリング部
３３−ｘ  周波数ブロックｘでの制御シグナリングチャネル生成部
３４−ｘ  周波数ブロックｘでのデータチャネル生成部
３５  報知チャネル（又はページングチャネル）生成部
１−ｘ  周波数ブロックｘに関する第１多重部
３７  第２多重部
３８  第３多重部
３９  他チャネル生成部
４０  逆高速フーリエ変換部
４１  サイクリックプレフィックス付加部
４１  L1/L2制御チャネル生成部
４２  L1/L2制御チャネル生成部
４３  多重部
８１  キャリア周波数同調部
８２  フィルタリング部
８３  サイクリックプレフィックス除去部
８４  高速フーリエ変換部（ＦＦＴ）
８５  ＣＱＩ測定部
８６  報知チャネル復号部
８７  L1/L2制御チャネル（パート０）復号部
８８  L1/L2制御チャネル復号部
８９  データチャネル復号部
５０  セル
１００１、１００２、１００３、１００ｎ  ユーザ装置
２００  基地局装置
３００  アクセスゲートウェイ装置
４００  コアネットワーク
１０００  無線通信システム
【図１】
2011004412.tif 000003
【図２】
2011004412.tif 000004
【図３】
2011004412.tif 000005
【図４】
2011004412.tif 000006
【図５】
2011004412.tif 000007
【図６】
2011004412.tif 000008
【図７】
2011004412.tif 000009
【図８】
2011004412.tif 000010
【図９】
2011004412.tif 000011
【図１０】
2011004412.tif 000012
【図１１】
2011004412.tif 000013
【図１２】
2011004412.tif 000014
【図１３】
2011004412.tif 000015
【図１４】
2011004412.tif 000016
【図１５】
2011004412.tif 000017
【図１６】
2011004412.tif 000018
【図１７】
2011004412.tif 000019
【図１８】
2011004412.tif 000020